(57)【特許請求の範囲】
【請求項１】
湾曲方向に複数隣接させて立設されることにより浴室を形成する曲面壁パネルであって、
前記立設された際に平面視で一定の曲率Ｒで湾曲した形状のフレームであり、鉛直方向に直線状に延びる角パイプからなり、当該フレームの湾曲の外側となる面に、当該湾曲方向に複数隣接させて立設される壁パネル同士を連結するための穴が設けられた複数の縦材と、前記一定の曲率で湾曲させた角パイプからなり、前記複数の縦材間に渡された複数の横材とから構成された格子状であるフレームと、
前記フレームの前記湾曲の内側面に接着される下地材であり、前記フレームとの接着面の湾曲に沿って湾曲した形状の下地材と、
前記フレームの内側に嵌め込まれ、前記下地材に接着される補強材であり、前記下地材との接着面の湾曲に沿って湾曲した形状の補強材と、
前記下地材の表面に接着される表面仕上げ材であり、前記曲率Ｒに対して１辺のサイズが小さい平面状のモザイクタイルである表面仕上げ材と
を有する浴室の曲面壁パネル。
【請求項２】
当該湾曲方向に複数隣接させて立設される壁パネルの隣接する縦材の隣接する穴に固定される連結金具を有する請求項１記載の浴室の曲面壁パネル。
【請求項３】
湾曲方向に複数隣接させて立設された請求項１または２に記載の曲面壁パネル同士が隣接する縦材の隣接する穴により連結された浴室。
【発明の詳細な説明】
【技術分野】
【０００１】
本発明は、ユニットバス等の浴室の曲面壁パネルおよびこれを用いた浴室に関する。
【背景技術】
【０００２】
従来のユニットバスは、例えば特許文献１に記載のように、平面視形状が四角形をなすように立設された４つの壁パネル内に浴槽および洗い場が設けられたものが一般的である。各壁パネルは一般的に平面形状となっている。
【先行技術文献】
【特許文献】
【０００３】
【特許文献１】特開平５−２５５９５９号公報
【発明の概要】
【発明が解決しようとする課題】
【０００４】
従来のユニットバスの壁パネルは一般的に平面形状であり、浴室内の空間に広がりがなく、固い印象である。
本発明においては、広がりのある柔らかい空間を形成することが可能な浴室の壁パネルおよびこれを用いた浴室を提供することを目的とする。
【課題を解決するための手段】
【０００５】
本発明の浴室の壁パネルは、立設されることにより浴室を形成する壁パネルであって、立設された際に平面視で一定の曲率で湾曲した形状のフレームと、フレームの湾曲の内側面に接着される下地材であり、フレームとの接着面の湾曲に沿って湾曲した形状の下地材と、フレームの内側に嵌め込まれ、下地材に接着される補強材であり、下地材との接着面の湾曲に沿って湾曲した形状の補強材と、下地材の表面に接着される表面仕上げ材とを有するものである。本発明の浴室の壁パネルを複数隣接させて立設することで、平面視で一定の曲率で湾曲した表面仕上げ材からなる壁面が形成された浴室が得られる。
【０００６】
ここで、フレームは、鉛直方向に直線状に延びる角パイプからなる複数の縦材と、一定の曲率で湾曲させた角パイプからなり、複数の縦材間に渡された複数の横材とから構成された格子状であることが望ましい。これにより、横材となる角パイプを一定の曲率で湾曲させることで、立設された際に平面視で一定の曲率で湾曲した形状のフレームを容易に得ることができる。
【０００７】
また、複数の縦材のフレームの湾曲の外側面に、当該壁パネルを複数隣接させて連結するための穴を有することが望ましい。これにより、複数隣接させて立設された壁パネル同士をこの穴を利用して連結金具により固定して、平面視で一定の曲率で湾曲した表面仕上げ材からなる壁面を有する浴室を容易に得ることができる。
【発明の効果】
【０００８】
（１）立設されることにより浴室を形成する壁パネルであって、立設された際に平面視で一定の曲率で湾曲した形状のフレームと、フレームの湾曲の内側面に接着される下地材であり、フレームとの接着面の湾曲に沿って湾曲した形状の下地材と、フレームの内側に嵌め込まれ、下地材に接着される補強材であり、下地材との接着面の湾曲に沿って湾曲した形状の補強材と、下地材の表面に接着される表面仕上げ材とを有する浴室の壁パネルによれば、平面視で一定の曲率で湾曲した表面仕上げ材からなる壁面が形成され、広がりのある柔らかい空間を有する浴室が得られる。
【０００９】
（２）フレームが、鉛直方向に直線状に延びる角パイプからなる複数の縦材と、一定の曲率で湾曲させた角パイプからなり、複数の縦材間に渡された複数の横材とから構成された格子状である構成により、横材となる角パイプを一定の曲率で湾曲させることで、立設された際に平面視で一定の曲率で湾曲した形状のフレームを容易に得ることができ、低コストで平面視で一定の曲率で湾曲した表面仕上げ材からなる壁面を形成することができ、広がりのある柔らかい空間を有する浴室が得られる。
【００１０】
（３）複数の縦材のフレームの湾曲の外側面に、当該壁パネルを複数隣接させて連結するための穴を有する構成により、複数隣接させて立設された壁パネル同士をこの穴を利用して連結金具により固定して、平面視で一定の曲率で湾曲した表面仕上げ材からなる壁面を有する浴室を容易に得ることができる。
【図面の簡単な説明】
【００１１】
【図１】本発明の実施の形態におけるユニットバスの平面図である。
【図２】図１のユニットバスの２つの曲面壁パネルを裏側から見た図である。
【図３】図１のユニットバスの曲面壁パネルの平面図である。
【図４】図３の曲面壁パネルの背面図である。
【図５】図４のＶ−Ｖ断面図である。
【発明を実施するための形態】
【００１２】
図１は本発明の実施の形態におけるユニットバスの平面図、図２は図１のユニットバスの２つの曲面壁パネルを裏側から見た図、図３は図１のユニットバスの曲面壁パネルの平面図、図４は図３の曲面壁パネルの背面図、図５は図４のＶ−Ｖ断面図である。
【００１３】
図１に示すように、本発明の実施の形態におけるユニットバス１は、６つの曲面壁パネル２と、４つの平面壁パネル３，４Ａ，４Ｂ，４Ｃと、１つの開口パネル５とが立設されることにより浴室が形成されたものである。４つの平面壁パネル３，４Ａ，４Ｂ，４Ｃおよび開口パネル５は、従来公知のものであり、以下ではその詳細な説明を省略する。
【００１４】
曲面壁パネル２は、立設された際に図３に示すように平面視で一定の曲率Ｒ（＝２５００〜３０００ｍｍ）で湾曲した形状のフレーム１０と、図５に示すようにフレーム１０の湾曲の内側面（図３の下側の面）に接着される下地材１１と、下地材１１の表面（図３の下側の面、すなわち浴室の内側となる面）に接着される表面仕上げ材としてのモザイクタイル１２と、下地材１１に接着される補強材としてのベニヤ板１３とから構成される壁パネルである。
【００１５】
フレーム１０は、鉛直方向に直線状に延びる角パイプからなる複数の縦材１０Ａと、曲面加工することにより一定の曲率Ｒで湾曲させた角パイプからなる複数の横材１０Ｂとから構成された格子状である。複数の横材１０Ｂは、複数の縦材１０Ａ間に所定間隔で渡されている。また、縦材１０Ａのフレーム１０の湾曲の外側面（図３の上側の面、すなわち浴室の外側となる面）には、曲面壁パネル２〜２Ｆを連結するための穴１０Ｃが所定間隔で設けられている。
【００１６】
下地材１１は、曲面加工することによりフレーム１０との接着面の湾曲に沿って湾曲した形状としたものである。下地材１１は、フレーム１０の湾曲の内側面の縦材１０Ａおよび横材１０Ｂの全面に接着されている。なお、本実施形態において下地材１１はアルミ複合板であるが、樹脂板等を使用することも可能である。
【００１７】
モザイクタイル１２は、一般的な１辺のサイズが５０ｍｍ以下の平面状のタイルである。モザイクタイル１２は、曲面壁パネル２の曲率Ｒに対してサイズが小さいため、平面状のものを下地材１１にそのまま接着することができる。なお、表面仕上げ材としては、モザイクタイル１２に代えて、化粧板を使用することも可能である。
【００１８】
ベニヤ板１３は、フレーム１０の縦材１０Ａと横材１０Ｂとによって形成される格子の形状に合わせて切断されたものである。ベニヤ板１３は、フレーム１０の内側に嵌め込まれ、下地材１１の全面に接着されている。
【００１９】
上記構成の曲面壁パネル２を図１に示すように複数隣接させ、図２に示すように隣接する曲面壁パネル２の縦材１０Ａに設けられた隣接する４つ穴１０Ｃに１つの連結金具６を固定する。連結金具６は略矩形状の板材である。連結金具６は、縦材１０Ａの４つの穴１０Ｃのうち３つの穴１０Ｃに対応する位置に穴６０が設けられており、それぞれ図示しないボルトによって固定される。また、縦材１０Ａの４つの穴１０Ｃのうち残りの穴１０Ｃに対応する位置には切欠き６１が形成されており、予めこの縦材１０Ａの穴１０Ｃにボルトを入れておくことで仮止めできるようになっている。
【００２０】
このように、本実施形態における曲面壁パネル２を複数隣接させて連結金具６により固定し、立設することで、図１に示すように、平面視で一定の曲率Ｒで湾曲したモザイクタイル１２からなる壁面が形成されたユニットバス１が形成される。このユニットバス１では、従来のように平面視形状が四角形をなすものと比較して、図１に示すように大きな広がりのある柔らかい空間を有したものとなる。
【００２１】
また、この曲面壁パネル２では、フレーム１０が、鉛直方向に直線状に延びる角パイプからなる複数の縦材１０Ａと、一定の曲率Ｒで湾曲させた角パイプからなり、複数の縦材１０Ａ間に渡された複数の横材１０Ｂとから構成された格子状である構成により、横材１０Ｂとなる角パイプを一定の曲率Ｒで湾曲させることで、立設された際に平面視で一定の曲率で湾曲した形状のフレーム１０を容易に得ることが可能となっている。これにより、低コストで平面視で一定の曲率Ｒで湾曲したモザイクタイル１２からなる壁面を形成することができ、広がりのある柔らかい空間を有するユニットバス１が得られる。
【００２２】
また、この曲面壁パネル２では、複数の縦材１０Ａのフレーム１０の湾曲の外側面に、曲面壁パネル２を複数隣接させて連結するための穴１０Ｃを有する構成により、複数隣接させて立設された曲面壁パネル２同士をこの穴１０Ｃを利用して連結金具６により固定して、平面視で一定の曲率で湾曲したモザイクタイル１２からなる壁面を有するユニットバス１を容易に得ることができる。
【産業上の利用可能性】
【００２３】
本発明の曲面壁パネルは、ユニットバス等の浴室の壁パネルとして有用であり、特に、曲面の壁面により広がりのある柔らかい空間を形成することが可能な壁パネルとして好適である。
【符号の説明】
【００２４】
１  ユニットバス
２  曲面壁パネル
３，４Ａ，４Ｂ，４Ｃ  平面壁パネル
５  開口パネル
６  連結金具
１０  フレーム
１０Ａ  縦材
１０Ｂ  横材
１１  下地材
１２  モザイクタイル
１３  ベニヤ板
【図１】
0006534635.tif 000002
【図２】
0006534635.tif 000003
【図３】
0006534635.tif 000004
【図４】
0006534635.tif 000005
【図５】
0006534635.tif 000006